【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
遊技球が打球発射装置により打ち込まれて流下する遊技領域が形成されるとともに該遊技領域を囲むように非遊技領域である飾り枠が取り付けられる遊技盤と、該遊技盤をその前面側に着脱自在に取り付け可能な本体枠と、該本体枠の一側に開閉自在に軸支されて前記遊技盤の遊技領域を視認可能に透明板で被覆された遊技窓が形成される扉枠と、前記遊技盤の裏面に取り付けられ、かつ、遊技の進行を制御するマイクロプロセッサが実装される主制御基板と、を備えるパチンコ遊技機であって、
前記飾り枠は、当該飾り枠の後面側であって予め定めた位置に、前記主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用される機能表示基板が配置される一方、当該飾り枠の前面側であって前記機能表示基板と対応する位置に、機能表示部が印刷された機能表示部材が配置され、
前記扉枠を前記本体枠に閉じた際に、前記機能表示部材を前記透明板で被覆された遊技窓を介して視認でき、
前記機能表示基板にそれぞれ一定個数集約されて実装される表示素子は、少なくとも、
前記遊技領域に設けられた始動入賞口に遊技球が入球して大当り遊技状態の発生の有無を所定の特別図柄として変動表示する特別図柄表示素子と、
前記遊技領域に設けられた始動入賞口に遊技球が入球して前記特別図柄表示素子で特別図柄が変動表示されないときには遊技球の球数を保留数として表示する特別図柄記憶表示素子と、
前記遊技領域に設けられたゲートに遊技球が通過して開閉翼の開閉の有無を所定の普通図柄として変動表示する普通図柄表示素子と、
前記遊技領域に設けられたゲートに遊技球が入球して前記普通図柄表示素子で普通図柄が変動表示されないときには遊技球の球数を保留数として表示する普通図柄記憶表示素子と、
遊技状態として確率変動が生じているか否かを表示する遊技状態表示素子と、
前記遊技領域に設けられた大入賞口に遊技球が入球することができない状態から入球しやすい状態となる最大回数を表示するラウンド表示素子と、
に割り当てられ、
前記機能表示部材は、その表面に、少なくとも、前記ラウンド表示素子から構成されたラウンド機能表示部を識別するための指標が視認可能に印刷されるとともに、当該ラウンド表示素子の表示態様を視認することができるように当該ラウンド表示素子と対応する位置において当該ラウンド表示素子からの光を透過することを特徴とするパチンコ遊技機。
【手続補正２】
【補正対象書類名】明細書
【補正対象項目名】０００２
【補正方法】変更
【補正の内容】
【０００２】
従来より、遊技部（遊技領域）のほぼ中央にセンターユニットである中央役物が配置され、この中央役物に特別図柄表示装置や普通図柄表示装置等が取り付けられているパチンコ機（パチンコ遊技機）が提案されている（例えば、特許文献１）。また、遊技領域のほぼ中央にセンターユニットであるセンターケースが配置され、このセンターケースの左側に普通図柄表示装置が配置された遊技機（パチンコ遊技機）が提案されている（例えば、特許文献２）。特許文献１及び特許文献２に記載されたパチンコ遊技機では、特別図柄表示装置や普通図柄表示装置等の機能表示で遊技の進行を遊技者に伝えている。
【特許文献１】特開平４−２８２１７３号公報（図２）
【特許文献２】特開２００２−１１３１６１号公報（図１）
【手続補正３】
【補正対象書類名】明細書
【補正対象項目名】０００７
【補正方法】変更
【補正の内容】
【０００７】
（解決手段１）
遊技球が打球発射装置により打ち込まれて流下する遊技領域が形成されるとともに該遊技領域を囲むように非遊技領域である飾り枠が取り付けられる遊技盤と、該遊技盤をその前面側に着脱自在に取り付け可能な本体枠と、該本体枠の一側に開閉自在に軸支されて前記遊技盤の遊技領域を視認可能に透明板で被覆された遊技窓が形成される扉枠と、前記遊技盤の裏面に取り付けられ、かつ、遊技の進行を制御するマイクロプロセッサが実装される主制御基板と、を備えるパチンコ遊技機であって、前記飾り枠は、当該飾り枠の後面側であって予め定めた位置に、前記主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用される機能表示基板が配置される一方、当該飾り枠の前面側であって前記機能表示基板と対応する位置に、機能表示部が印刷された機能表示部材が配置され、前記扉枠を前記本体枠に閉じた際に、前記機能表示部材を前記透明板で被覆された遊技窓を介して視認でき、前記機能表示基板にそれぞれ一定個数集約されて実装される表示素子は、少なくとも、前記遊技領域に設けられた始動入賞口に遊技球が入球して大当り遊技状態の発生の有無を所定の特別図柄として変動表示する特別図柄表示素子と、前記遊技領域に設けられた始動入賞口に遊技球が入球して前記特別図柄表示素子で特別図柄が変動表示されないときには遊技球の球数を保留数として表示する特別図柄記憶表示素子と、前記遊技領域に設けられたゲートに遊技球が通過して開閉翼の開閉の有無を所定の普通図柄として変動表示する普通図柄表示素子と、前記遊技領域に設けられたゲートに遊技球が入球して前記普通図柄表示素子で普通図柄が変動表示されないときには遊技球の球数を保留数として表示する普通図柄記憶表示素子と、遊技状態として確率変動が生じているか否かを表示する遊技状態表示素子と、前記遊技領域に設けられた大入賞口に遊技球が入球することができない状態から入球しやすい状態となる最大回数を表示するラウンド表示素子と、に割り当てられ、前記機能表示部材は、その表面に、少なくとも、前記ラウンド表示素子から構成されたラウンド機能表示部を識別するための指標が視認可能に印刷されるとともに、当該ラウンド表示素子の表示態様を視認することができるように当該ラウンド表示素子と対応する位置において当該ラウンド表示素子からの光を透過することを特徴とするパチンコ遊技機。
【手続補正４】
【補正対象書類名】明細書
【補正対象項目名】０００９
【補正方法】変更
【補正の内容】
【０００９】
飾り枠は、飾り枠の後面側であって予め定めた位置に、主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用される機能表示基板が配置される一方、飾り枠の前面側であって機能表示基板と対応する位置に、機能表示部が印刷された機能表示部材が配置されており、扉枠を本体枠に閉じた際に、機能表示部材を透明板で被覆された遊技窓を介して視認できるようになっている。これにより、パチンコ遊技機の仕様が異なっても、機能表示部材の位置が変わることがないため、遊技者を戸惑わせることがない。また、非遊技領域である飾り枠に機能表示部材が配置されるため、遊技者は遊技の進行を把握したいときに機能表示基板による遊技の進行に関する各種情報を見ることができ、機能表示基板による遊技の進行に関する各種情報が目障りになりにくい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
機能表示基板にそれぞれ一定個数集約されて実装される表示素子は、少なくとも、特別図柄表示素子、特別図柄記憶表示素子、普通図柄表示素子、普通図柄記憶表示素子、遊技状態表示素子、ラウンド表示素子、に割り当てられている。特別図柄表示素子は遊技領域に設けられた始動入賞口に遊技球が入球して大当り遊技状態の発生の有無を所定の特別図柄として変動表示し、特別図柄記憶表示素子は遊技領域に設けられた始動入賞口に遊技球が入球して特別図柄表示素子で特別図柄が変動表示されないときに遊技球の球数を保留数として表示する。普通図柄表示素子は遊技領域に設けられたゲートに遊技球が通過して開閉翼の開閉の有無を所定の普通図柄として変動表示し、普通図柄記憶表示素子は遊技領域に設けられたゲートに遊技球が入球して普通図柄表示素子で普通図柄が変動表示されないときに遊技球の球数を保留数として表示する。遊技状態表示素子は遊技状態として確率変動が生じているか否かを表示し、ラウンド表示素子は遊技領域に設けられた大入賞口に遊技球が入球することができない状態から入球しやすい状態となる最大回数を表示する。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
機能表示部材は、その表面に、少なくとも、ラウンド表示素子から構成されたラウンド機能表示部を識別するための指標が視認可能に印刷されるとともに、ラウンド表示素子の表示態様を視認することができるようにラウンド表示素子と対応する位置においてラウンド表示素子からの光を透過する。
【手続補正９】
【補正対象書類名】明細書
【補正対象項目名】００１４
【補正方法】変更
【補正の内容】
【００１４】
このように、機能表示基板は、パチンコ遊技機の異なる仕様でも共通して用いることができるようになっており、部品の共通化が図られている。これにより、機能表示基板を飾り枠から取り外し、その取り外した機能表示基板を開発したパチンコ遊技機に取り付けることができるため、部品の再利用化を図ることができる。したがって、部品の共通化及び部品の再利用化によりパチンコ遊技機の開発期間の短縮化を図ることができる。
【手続補正１０】
【補正対象書類名】明細書
【補正対象項目名】００１５
【補正方法】変更
【補正の内容】
【００１５】
本実施形態では、例えば、図７の打球発射装置３００が打球発射装置に相当し、図１１５の遊技領域２５５が遊技領域に相当し、図１１６の機能表示飾り枠２５１ｃが飾り枠に相当し、図１１５の遊技盤４が遊技盤に相当し、図１の本体枠３が本体枠に相当し、図１のガラス板６０が透明板に相当し、図１の遊技窓４２が遊技窓４２に相当し、図１の扉枠５が扉枠に相当し、図１２２の主制御ＭＰＵ１７００ａがマイクロプロセッサに相当し、図１２２に主制御基板１７００が主制御基板に相当し、図１のパチンコ遊技機１がパチンコ遊技機に相当し、図１１７の機能表示シール１５９５Ａが機能表示部材に相当し、図１１７の機能表示基板１２２５ａが機能表示基板に相当し、図１１７のセグメント表示器ＳＥＧ１，ＳＥＧ２が表示素子に相当し、図１１７のＬＥＤ１〜ＬＥＤ１２が表示素子に相当し、図１１５の上始動入賞口１３３０及び下始動入賞口１３４０が始動入賞口に相当し、図１１７の上特別図柄表示器１４８０及び下特別図柄表示器１４９０が特別図柄表示素子に相当し、図１１７の上特別図柄記憶ランプ１５００ａ，１５００ｂ及び下特別図柄記憶ランプ１５１０ａ，１５１０ｂが特別図柄記憶表示素子に相当し、図１１５のゲート１２９０がゲートに相当し、図１１５の開閉翼１３８０が開閉翼に相当し、図１１７の普通図柄表示器１５２０が普通図柄表示素子に相当し、図１１７の普通図柄記憶ランプ１５３０ａ〜１５３０ｄが普通図柄記憶表示素子に相当し、図１１７の遊技状態表示ランプ１５４０が遊技状態表示素子に相当し、図１１５の大入賞口１４００が大入賞口に相当し、図１１７の２ラウンド表示ランプ１５５０及び１５ラウンド表示ランプ１５６０がラウンド表示素子に相当し、図１２０の実線ＳＬ５で囲まれた状態で区画されて機能表示シール１５９５Ａに印刷された２ラウンド表示ランプ１５５０の値２及び実線ＳＬ６で囲まれた状態で区画されて機能表示シール１５９５Ａに印刷された１５ラウンド表示ランプ１５６０の値１５が「ラウンド機能表示部を識別するための指標」に相当し、「実線ＳＬ４〜ＳＬ６で囲まれた領域は、遊技状態表示ランプ１５４０、２ラウンド表示ランプ１５５０及び１５ラウンド表示ランプ１５６０による点灯を視認できるように、遊技状態表示ランプ１５４０、２ラウンド表示ランプ１５５０及び１５ラウンド表示ランプ１５６０と対応する位置が透明となっている。」という記載が「当該ラウンド表示素子の表示態様を視認することができるように当該ラウンド表示素子と対応する位置において当該ラウンド表示素子からの光を透過すること」という記載に相当する。
【手続補正１１】
【補正対象書類名】明細書
【補正対象項目名】００１６
【補正方法】変更
【補正の内容】
【００１６】
（解決手段２）
解決手段１に記載のパチンコ遊技機であって、前記機能表示基板にそれぞれ一定個数集約されて実装される表示素子は、セグメント表示器及びＬＥＤから構成され、前記飾り枠には、前記セグメント表示器と対応する位置にセグメント表示器用開口が形成され、かつ、前記ＬＥＤと対応する位置にＬＥＤ用挿通孔が形成されており、該ＬＥＤ用挿通孔が円筒形状を有していることを特徴とするパチンコ遊技機。こうすれば、セグメント表示器用開口によってセグメント表示器が表示する内容を視認でき、ＬＥＤ用挿通孔によって飾り枠に機能表示基板を取り付ける際にＬＥＤが飾り枠と干渉しなくなる。またＬＥＤ用挿通孔が円筒形状を有していることによってＬＥＤの点灯又は点滅した光が隣接するＬＥＤの点灯又は点滅した光と誤認されなくなる。
【手続補正１２】
【補正対象書類名】明細書
【補正対象項目名】００１７
【補正方法】変更
【補正の内容】
【００１７】
本実施形態では、例えば、図１１７のセグメント表示器ＳＥＧ１，ＳＥＧ２がセグメント表示器に相当し、図１１７のＬＥＤ１〜ＬＥＤ１２がＬＥＤに相当し、図１１７のセグメント表示器用開口２５１ｃａがセグメント表示器用開口に相当し、図１１８のＬＥＤ用挿通孔２５１ｃｂがＬＥＤ用挿通孔に相当する。
【手続補正１３】
【補正対象書類名】明細書
【補正対象項目名】００１８
【補正方法】変更
【補正の内容】
【００１８】
（解決手段３）
解決手段１又は２に記載のパチンコ遊技機であって、前記機能表示基板を収容するベース部材を備え、前記ベース部材は、前記主制御基板のマイクロプロセッサからの駆動信号を前記機能表示基板に伝える中継基板を収容する中継基板収容部が形成され、該中継基板収容部に、前記中継基板に設けたコネクタを露出させるコネクタ開口が形成され、当該ベース部材を前記飾り枠の後面側に取り付けた際に、前記中継基板収容部の面が前記遊技盤の裏面と同一平面又は前記遊技盤の裏面と同一平面より突出していることを特徴とするパチンコ遊技機。こうすれば、主制御基板のマイクロプロセッサからの駆動信号を伝えるハーネスを、露出したコネクタに差し込みやすくなるため、作業性に優れている。ここで、コネクタ開口の周囲からコネクタ開口に向かって傾斜する傾斜面を設けてあることが好ましい。こうすれば、ハーネスを、露出したコネクタに差し込む際に、その傾斜によって作業者の指先がコネクタ開口に近づくため、ハーネスを、露出したコネクタの奥まで差し込むことができる。これにより、差し込み不良による機能表示基板や中継基板の損傷を防止することができる。
【手続補正１４】
【補正対象書類名】明細書
【補正対象項目名】００１９
【補正方法】変更
【補正の内容】
【００１９】
本実施形態では、例えば、図１１７のベース部材１２２５ｃがベース部材に相当し、図１１７の中継基板１２２５ｂが中継基板に相当し、図１１７の突出部１２２５ｃｂが中継基板収容部に相当し、図１１７のパネル中継基板側中継コネクタ１２２５ｂｂがコネクタに相当し、図１１８のコネクタ開口１２２５ｃｂｂがコネクタ開口に相当し、図１１９の突出部１２２５ｃｂの面１２２５ｃｂａが中継基板収容部の面に相当し、図１１９の補強部材２５０ｃの面２５０ｃｂが遊技盤の裏面に相当し、図１１９の傾斜面１２２５ｃｂｃが傾斜面に相当する。